(57)【要約】【課題】スクレーパーを支持したエンドレスチェンとチップコンベアのケーシングにおける側部内面との間の間隙に切り屑が溜ることのないチップコンベアを提供する。【解決手段】スクレーパー形式のチップコンベアのケーシング３内において、導入口５付近に備えた複数のチェンガイド１３と排出口７付近に備えた複数のチェンスプロケット１９に複数本のエンドレスチェン２１Ｌ，２１Ｒを掛回して並列に備え、前記導入口５から導入された切り屑を前記排出口７へ搬送するために、前記並列なエンドレスチェン２１Ｌ，２１Ｒに両端側を支持されたスクレーパー９を備えたチップコンベアであって、前記エンドレスチェン２１Ｌ，２１Ｒの外側部に、当該エンドレスチェン２１Ｌ，２１Ｒと前記ケーシング３の側部内面３Ｌ，３Ｒとの間に入り込んだ切り屑を前記排出口７へ搬送するための切り屑搬送部材２７を備えている。【選択図】図１
2010036317.tif 000002
【特許請求の範囲】
【請求項１】
箱状のケーシングの一端側上部に、切り屑を内部へ導入する導入口を備えると共に、前記ケーシングの他端側下部に、前記導入口から導入された切り屑を外部へ排出する排出口を備え、前記ケーシング内において、前記導入口付近に備えた複数のチェンガイドと前記排出口付近に備えた複数のチェンスプロケットに複数本のエンドレスチェンを掛回して並列に備え、前記導入口から導入された切り屑を前記排出口へ搬送するために、前記並列なエンドレスチェンに両端側を支持されたスクレーパーを備えたチップコンベアであって、前記エンドレスチェンの外側部に、当該エンドレスチェンと前記ケーシングの側部内面との間に入り込んだ切り屑を前記排出口へ搬送するための切り屑搬送部材を備えていることを特徴とするチップコンベア。
【発明の詳細な説明】
【技術分野】
【０００１】
本発明は、例えば帯鋸盤などの切断加工機や旋盤などの切削加工機による加工時に生じた切り屑を搬送するチップコンベアに係り、さらに詳細には、並列して備えたエンドレスチェンの間にスクレーパーを備えた形式のチップコンベアであって、前記エンドレスチェンとチップコンベアにおけるケーシングの側部内面との間への切り屑の溜りを防止することのできるチップコンベアに関する。
【背景技術】
【０００２】
例えば切削加工機によって金属材料の切削加工を行うことにより発生した切粉、切り屑を搬送するチップコンベアには、スクリュー形式のチップコンベアやスクレーパーを備えたスクレーパー形式のチップコンベアがある。上記スクレーパー形式のチップコンベアは、箱状のケーシング内に並列に備えたエンドレスチェン間に配置したスクレーパーの両端側を前記エンドレスチェンによって支持した構成が一般的である（例えば特許文献１参照）。
【特許文献１】特開２００５−２５４３８３号公報
【発明の開示】
【発明が解決しようとする課題】
【０００３】
スクレーパー形式のチップコンベアは、適宜形状の箱状のケーシング内に複数本（２本）のエンドレスチェンを並列に備え、この両エンドレスチェンの間に配置したスクレーパーの両端側を前記エンドレスチェンによって支持した構成である。したがって、前記ケーシング内に導入されて両エンドレスチェンの間に存在する切り屑はスクレーパーによって排出口側へ搬送されるものの、前記エンドレスチェンの側部と前記ケーシングの側部内面との間の間隙内に入り込んだ切り屑は、前記スクレーパーにより搬送されることがないので、大量に溜ると、前記エンドレスチェンの円滑な走行動作を阻害することがあるので、溜った切り屑を定期的に除去する必要があり、切り屑の除去作業が比較的厄介であるという問題があった。
【課題を解決するための手段】
【０００４】
本発明は、前述のごとき従来の問題に鑑みてなされたもので、箱状のケーシングの一端側上部に、切り屑を内部へ導入する導入口を備えると共に、前記ケーシングの他端側下部に、前記導入口から導入された切り屑を外部へ排出する排出口を備え、前記ケーシング内において、前記導入口付近に備えた複数のチェンガイドと前記排出口付近に備えた複数のチェンスプロケットに複数本のエンドレスチェンを掛回して並列に備え、前記導入口から導入された切り屑を前記排出口へ搬送するために、前記並列なエンドレスチェンに両端側を支持されたスクレーパーを備えたチップコンベアであって、前記エンドレスチェンの外側部に、当該エンドレスチェンと前記ケーシングの側部内面との間に入り込んだ切り屑を前記排出口へ搬送するための切り屑搬送部材を備えていることを特徴とするものである。
【発明の効果】
【０００５】
本発明によれば、スクレーパーを支持したエンドレスチェンとチップコンベアにおけるケーシングの側部内面との間の間隙に切り屑が入り込んだ場合であっても、エンドレスチェンに取付けた切り屑搬送部材によって前記間隙内の切り屑を排出口へ搬出することができ、前記エンドレスチェンとケーシングの側部内面との間の間隙内に切り屑が溜るようなことがないものである。
【発明を実施するための最良の形態】
【０００６】
図１を参照するに、本発明の実施形態に係るチップコンベア１は、箱状のケーシング３を備えており、このケーシング３の一端側上部には、切削加工機械（図示省略）の切削加工によって生じた切粉，切り屑を導入するための導入口５が備えられている。また、前記ケーシング３における他端側下部には、前記導入口５から導入された切り屑を外部へ排出するための排出口７が備えられている。
【０００７】
そして、前記導入口５からケーシング３内に導入された切り屑を前記排出口７へ搬送するために、前記ケーシング３内には循環移動するスクレーパー９が備えられている。より詳細には、前記導入口５付近のケーシング３内には左右方向（図１において紙面に垂直な方向）に長い回転軸１１が水平に備えられており、この回転軸１１には複数のチェンガイドの一例としてのスプロケット１３が備えられている。また、前記排出口７付近のケーシング３内には、ケーシング３に装着したモータ１５によって回転駆動される回転駆動軸１７が前記回転軸１１と平行にかつ回転自在に備えられている。
【０００８】
前記回転駆動軸１７には、前記スプロケット１３に対応する複数の駆動スプロケット１９が取付けてあり、この各駆動スプロケット１９と前記各スプロケット１３には前後方向（図１において左右方向）に長い左右のエンドレスチェン２１Ｌ，２１Ｒがそれぞれ掛回してある。すなわち、左右の複数のエンドレスチェン２１Ｌ，２１Ｒは並列して設けてあり、この並列したエンドレスチェン２１Ｌ，２１Ｒの間に複数の前記スクレーパー９が配置してある。そして、各スクレーパー９の左右両端側は左右の前記エンドレスチェン２１Ｌ，２１Ｒにブラケットを介して一体的に支持されている。
【０００９】
そして、前記左右のエンドレスチェン２１Ｌ，２１Ｒが循環走行する上部側，下部側は、前記ケーシング３の左右の側部内面３Ｌ，３Ｒにそれぞれ備えた上下の前後方向に長いチェンガイド２３Ｕ，２３Ｌ（図２参照）に案内支持されている。
【００１０】
ところで、チェンガイドの一例としてスプロケット１３を備えた場合について例示したが、チェンガイドとしては、ケーシング３内に固定した円板形状又は半円形状のチェンガイドとすることも可能である。要するに、モータ１５によって回転される駆動スプロケット１９によって循環走行されるエンドレスチェン２１Ｌ、２１Ｒを案内支持する機能を有すればよいものである。
【００１１】
上記構成において、モータ１５によって回転駆動軸１７を正回転すると、エンドレスチェン２１Ｌ，２１Ｒは、図１において反時計回り方向に回転走行されることになり、導入口５からケーシング３内に導入された切り屑を、スクレーパー９でもって排出口７方向へ搬送し、前記排出口７から外部へ排出することになる。
【００１２】
ところで、前記導入口５からケーシング３内に導入された切り屑は、左右のエンドレスチェン２１Ｌ，２１Ｒの間に落下導入されるとは限らず、下側のチェンガイド２３Ｌとケーシング３における左右の側部内面３Ｌ，３Ｒとの間の間隙２５に入り込むことがある。上記間隙２５に入り込んだ切り屑は、前記スクレーパー９による搬送作用を受けることがないので、前記間隙２５内に滞留することになり、大量に溜ると、エンドレスチェン２１Ｌ，２１Ｒの円滑な走行作用を阻害することになる。
【００１３】
そこで、本実施形態においては、前記エンドレスチェン２１Ｌ，２１Ｒの左右方向の外側部に、図３，図４に示すように、前記間隙２５に入り込んだ切り屑を前記排出口７へ搬出するための切り屑搬送部材２７が適数取付けてある。なお、図４には、エンドレスチェン２１Ｌ，２１Ｒにおけるチェンリンクとは別個に切り屑搬送部材２７を設けた構成として例示してあるが、チェンリンクに一体に切り屑搬送部材を設けることも可能である。
【００１４】
前記構成により、前述したようにエンドレスチェン２１Ｌ，２１Ｒを走行して、スクレーパー９によって切り屑を導入口５側から排出口７側へ搬送するとき、エンドレスチェン２１Ｌ，２１Ｒの外側部に設けた前記切り屑搬送部材２７は前記チェンガイド２３Ｌとケーシング３の側部内面３Ｌ，３Ｒとの間の間隙２５内を前後方向に移動して、前記間隙２５内の切り屑を前記排出口７側へ搬送することになる。
【００１５】
したがって、前記間隙２５内に切り屑が大量に溜るようなことがなく、エンドレスチェン２１Ｌ，２１Ｒの円滑な走行を阻害するようなことがないものであり、前述したごとき従来の問題を解消することができるものである。
【図面の簡単な説明】
【００１６】
【図１】本発明の実施形態に係るチップコンベアの全体的構成を概念的，概略的に示した側断面説明図である。
【図２】同上の正断面説明図である。
【図３】エンドレスチェンに切り屑搬送部材を備えた部分の説明図である。
【図４】同上の断面説明図である。
【符号の説明】
【００１７】
１  チップコンベア
３Ｌ，３Ｒ  ケーシングの側部内面
５  導入口
７  排出口
９  スクレーパー
１１  回転軸
１３  スプロケット（チェンガイド）
１５  モータ
１７  回転駆動軸
１９  駆動スプロケット
２１Ｌ，２１Ｒ  エンドレスチェン
２３Ｕ，２３Ｌ  チェンガイド
２５  間隙
２７  切り屑搬送部材
【図１】
2010036317.tif 000003
【図２】
2010036317.tif 000004
【図３】
2010036317.tif 000005
【図４】
2010036317.tif 000006